(57)【要約】【課題】  含水試験片に対して材料試験を行う場合においても、試験片に損傷を与えることなく、試験片を好適に保持することが可能な材料試験機用保持具を提供する。【解決手段】  生体材料等の含水試験片１００に対して引張試験を行うときには、含水試験片１００を保持部材１１上に載置する。この状態においては、含水試験片１００に含有される水分がスポンジ状部材から構成される保持部材１１における凹部内に浸入することにより、含水試験片１００と多孔質に形成された凸部とが直接的に接触し、含水試験片１００と保持部材１１との間に摩擦抵抗または付着力が発生する。この状態において、モータ１９の駆動により、移動部１４を一方の固定部２４から離隔する方向に移動させることにより、含水試験片１００に対して引張試験力を付与する。このときの試験力は、ロードセル２３により測定される。【選択図】        図１
2018009925.tif 000002
【特許請求の範囲】
【請求項１】
含水試験片に対して材料試験を行うときに、前記含水試験片を保持するための材料試験機用保持具であって、
前記含水試験片と面接触することにより、前記含水試験片の水分が浸入可能な多数の凹部を有する保持部材を備え、
当該保持部材と前記含水試験片の片面とを接触させることにより、前記含水試験片を保持することを特徴とする材料試験機用保持具。
【請求項２】
請求項１に記載の材料試験機用保持具において、
前記保持部材は、多孔質の材料から構成される材料試験機用保持具。
【請求項３】
請求項２に記載の材料試験機用保持具において、
前記保持部材はスポンジ状部材から構成される材料試験機用保持具。
【請求項４】
請求項３に記載の材料試験機用保持具において、
前記保持部材における前記含水試験片と接触する領域以外の領域を、剛性を有する支持部材により支持する材料試験機用保持具。
【請求項５】
請求項１から請求項４のいずれかに記載の材料試験機用保持具において、
前記保持部材における前記含水試験片との接触面を、曲面状とする材料試験機用保持具。
【請求項６】
請求項１から請求項５のいずれかに記載の材料試験機用保持具において、
前記保持部材は、その上部に前記含水試験片を載置した状態で水平方向に移動する材料試験機用保持具。
【発明の詳細な説明】
【技術分野】
【０００１】
この発明は、材料試験機用保持具に関し、特に、含水試験片に対して材料試験を行うときに好適な材料試験機用保持具に関する。
【背景技術】
【０００２】
図５は、従来の材料試験機において、試験片１０１に対して材料試験を行う様子を示す説明図である。
【０００３】
この図に示すように、試験片１０１に対して、引張試験を行うときには、試験片１０１の上端部を上つかみ具における一対のつかみ歯３１により把持するとともに、試験片１０１の下端部を下つかみ具における一対のつかみ歯３２により把持し、上つかみ具と下つかみ具とを互いに離隔する方向に移動させることにより、試験片１０１に対して引張試験力を負荷している。
【０００４】
なお、フィルムの表面硬度を測定するときに、このフィルムを固定するための固定ステージとして、フィルムとの当接面を多孔質セラミックで構成し、フィルムを真空吸着することにより、このフィルムを固定するフィルム固定用固定ステージも提案されている（特許文献１参照）。
【先行技術文献】
【特許文献】
【０００５】
【特許文献１】特開２０１３−８８２５２号公報
【発明の概要】
【発明が解決しようとする課題】
【０００６】
例えば、生体材料のように、薄くて脆弱で、かつ、水分を含有する材質からなる試験片（本発明では、含水試験片と称する）に対して引張試験を行う場合においては、図５に示すように、試験片１０１をつかみ歯３１、３２により把持する構成を採用したときには、つかみ歯３１、３２による試験片１０１の把持部に損傷を与えることになる。このように試験片１０１に損傷が生じた場合には、この損傷部位が破断の起点となってしまい、正確な引張試験を実行することができないという問題が生ずる。このような問題は、特許文献１に記載されたフィルム固定用固定ステージをつかみ具として適用した場合においても、その真空吸着領域で同様に生ずる問題である。
【０００７】
この発明は上記課題を解決するためになされたものであり、含水試験片に対して材料試験を行う場合においても、試験片に損傷を与えることなく、試験片を好適に保持することが可能な材料試験機用保持具を提供することを目的とする。
【課題を解決するための手段】
【０００８】
請求項１に記載の発明は、含水試験片に対して材料試験を行うときに、前記含水試験片を保持するための材料試験機用保持具であって、前記含水試験片と面接触することにより、前記含水試験片の水分が浸入可能な多数の凹部を有する保持部材を備え、当該保持部材と前記含水試験片の片面とを接触させることにより、前記含水試験片を保持することを特徴とする。
【０００９】
請求項２に記載の発明は、請求項１に記載の材料試験機用保持具において、前記保持部材は、多孔質の材料から構成される。
【００１０】
請求項３に記載の発明は、請求項２に記載の材料試験機用保持具において、前記保持部材はスポンジ状部材から構成される。
【００１１】
請求項４に記載の発明は、請求項３に記載の材料試験機用保持具において、前記保持部材における前記含水試験片と接触する領域以外の領域を、剛性を有する支持部材により支持する。
【００１２】
請求項５に記載の発明は、請求項１から請求項４のいずれかに記載の材料試験機用保持具において、前記保持部材における前記含水試験片との接触面を、曲面状とする。
【００１３】
請求項６に記載の発明は、請求項１から請求項５のいずれかに記載の材料試験機用保持具において、前記保持部材は、その上部に前記含水試験片を載置した状態で水平方向に移動する。
【発明の効果】
【００１４】
請求項１から請求項３に記載の発明によれば、含水試験片の片面と、その水分が浸入可能な多数の凹部を有する保持部材とを接触させることにより、含水試験片を保持することから、試験片に損傷を与えることなく、試験片を好適に保持することが可能となる。
【００１５】
請求項４に記載の発明によれば、スポンジ状部材を、剛性を有する部材で支持することにより、保持具の形状を安定させた状態で材料試験を行うことが可能となる。
【００１６】
請求項５に記載の発明によれば、保持部材における試験片との接触面を曲面状とすることにより、試験片の引張方向に対する保持力を増加させて、試験片をより確実に保持することが可能となる。
【００１７】
請求項６に記載の発明によれば、保持部材上に試験片を載置することで、試験片を安定して保持することが可能となる。
【図面の簡単な説明】
【００１８】
【図１】この発明の第１実施形態に係る材料試験機用保持具を備えた材料試験機の側面概要図である。
【図２】この発明の第１実施形態に係る材料試験機用保持具を備えた材料試験機の平面概要図である。
【図３】この発明の第２実施形態に係る材料試験機用保持具を備えた材料試験機の側面概要図である。
【図４】この発明の第２実施形態に係る材料試験機用保持具を備えた材料試験機の平面概要図である。
【図５】従来の材料試験機において、試験片１０１に対して材料試験を行う様子を示す説明図である。
【発明を実施するための形態】
【００１９】
以下、この発明の実施の形態を図面に基づいて説明する。図１は、この発明の第１実施形態に係る材料試験機用保持具を備えた材料試験機の側面概要図であり、図２は、その平面概要図である。
【００２０】
この材料試験機は、生体材料等の水分を内部に含有した材質からなる含水試験片１００に対して材料試験としての引張試験を行うものである。この含水試験片１００としては、例えば、人間の皮膚の細胞を培養してシート状とした細胞シート等である。この含水試験片１００は、図１および図２においては厚さを誇張して表現しているが、極めて薄く、かつ、脆弱であるという性質を有する。なおここで水分を含有しているとは、絞れば液体としての水がしたたり落ちるようなものや、絞っても水はしたたり落ちない程度に湿った状態のものも含むものである。また水分とは化合物としての水だけでなく、油分などを含む液体状のものを含んだ概念である。
【００２１】
この材料試験機は、水平方向を向けて配設された一対のボールねじ１５を回転可能に支持するベース２６上に配設された一対の固定部２４、２５と、その内部に一対のボールねじ１５に螺合するナット部を備えた移動部１４とを有する。移動部１４には、保持部材１１と、支持部材１２と、連結部材１３とから構成されるこの発明に係る材料試験機用保持具が接続されている。これに対して、一対の固定部２４、２５のうちの一方の固定部２４には、保持部材１１と、支持部材１２と、連結部材１３とから構成されるこの発明に係る材料試験機用保持具が、ロードセル２３を介して接続されている。
【００２２】
各ボールねじ１５の一端には、同期プーリ１６が配設されている。これらの同期プーリ１６には、同期ベルト１８が巻回されている。この同期ベルト１８は、ベース２６上に配設されたモータ１９の駆動により回転する同期プーリ１７とも係合している。このため、一対のボールねじ１５は、モータ１９の駆動により、互いに同期して回転する。そして、このボールねじ１５の回転により、移動部１４が水平方向に移動する。
【００２３】
この発明に係る材料試験機用保持具を構成する支持部材１２と連結部材１３とは、金属により構成されており、保持部材１１は、シート形状を有するスポンジ状部材から構成されている。保持部材１１は接着剤による接着やその他の方法により支持部材１２の上に固着されている。このスポンジ状部材からなる保持部材１１は、多孔質であり、含水試験片１００と面接触したときには、含水試験片１００の水分が多孔質に形成された凹部に染みこんで凹部内に浸入する。これにより、含水試験片１００と多孔質に形成された凸部とが直接的に接触し、含水試験片１００と保持部材１１との間に摩擦抵抗または付着力を生じさせることができる。
【００２４】
このときには、含水試験片１００と保持部材１１とは、スポンジ状部材に形成された極めて多数の凹凸を介して面接触していることから、含水試験片１００と保持部材１１とに対して、その接触面に平行な方向に相対的に移動させようとする力が生じたとしても、その力を接触面全域で分散させることが可能となる。このため、含水試験片１００が保持部材１１との接触部で損傷することはない。
【００２５】
以上のような構成を有する材料試験機用保持具を備えた材料試験機において、生体材料等の含水試験片１００に対して引張試験を行うときには、図１および図２に示すように、含水試験片１００を保持部材１１上に載置する。このときには、含水試験片１００に含有される水分がスポンジ状部材から構成される保持部材１１における凹部内に浸入することにより、含水試験片１００と多孔質に形成された凸部とが直接的に接触し、含水試験片１００と保持部材１１との間に摩擦抵抗または付着力が発生する。この状態において、モータ１９の駆動により、移動部１４を一方の固定部２４から離隔する方向に移動させることにより、含水試験片１００に対して引張試験力を付与する。このときの試験力は、ロードセル２３により測定される。
【００２６】
次に、この発明の他の実施形態について説明する。図３は、この発明の第２実施形態に係る材料試験機用保持具を備えた材料試験機の側面概要図であり、図４は、その平面概要図である。なお、上述した第１実施形態と同様の部材については、同一の符号を付して詳細な説明を省略する。
【００２７】
上述した第１実施形態に係る材料試験機用保持具においては、保持部材１１の上面と支持部材１２の上面とが平面状となっており、保持部材１１と含水試験片１００との接触領域も平面状となっていた。これに対して、この第２実施形態においては、支持部材２２が、移動部１４の移動方向と直交する方向を向く円筒形状を有し、支持部材２２の上面が曲面状となっている。これにより、支持部材２２により支持された保持部材２１の上面も、支持部材２２の上面に沿った曲面状となっている。なお、この保持部材２１も、第１実施形態に係る保持部材１１と同様、シート形状を有する多孔質のスポンジ状部材から構成されている。
【００２８】
この第２実施形態に係る材料試験機用保持具を備えた材料試験機において、含水試験片１００に対して引張試験を行うときには、図３および図４に示すように、含水試験片１００を保持部材２１上に載置する。これにより、含水試験片１００に含有される水分がスポンジ状部材から構成される保持部材２１における凹部内に浸入することにより、含水試験片１００と多孔質に形成された凸部とが直接的に接触し、含水試験片１００と保持部材２１との間に摩擦抵抗または付着力を発生する。
【００２９】
このとき、この第２実施形態に係る材料試験機用保持具においては、保持部材２１の上面が曲面状となっていることから、含水試験片１００における保持部材２１との当接領域も曲面状となる。これにより、含水試験片１００が平面状であった場合と比較して、含水試験片１００の引張方向に対する保持力を増加させることができ、含水試験片１００をより確実に保持することが可能となる。
【００３０】
なお、上述した実施形態においては、いずれも、保持部材１１、２１としてスポンジ状部材を使用している。しかしながら、保持部材１１、２１としては、スポンジ状部材に限らず、例えば、セラミック等から構成されるその他の多孔質の材料を使用してもよい。また、多孔質の材料に限らず、含水試験片１００と面接触することにより含水試験片１００の水分が浸入可能な、多数の凹部を有するその他の保持部材を使用してもよい。
【００３１】
また、上述した実施形態においては、軟質のスポンジ状部材から構成される保持部材１１、２１を支持部材１２、２２により支持することにより、保持具の形状を安定させている。しかしながら、保持部材としてセラミックや多孔質の金属等を使用した場合において、この保持部材自体が剛性を有するときには、上述した支持部材１２を省略するようにしてもよい。
【００３２】
また、上述した実施形態においては、含水試験片１００を水平方向とした状態で一対の保持部材１１、２１上に載置し、含水試験片１００に対して水平方向を向く試験力を付与している。しかしながら、含水試験片１００の水分が保持部材１１、２１に浸入することで、含水試験片１００の表面を鉛直方向に向けて配置した場合においても含水試験片１００が保持部材１１、２１により保持し得る場合には、含水試験片１００を、鉛直方向を向けて配置し、鉛直方向を向く試験力を付与して引張試験を行ってもよい。
【００３３】
さらに、上述した実施形態においては、含水試験片１００として平面状のものを使用しているが、含水試験片１００はこのような形状のものに限定されるものではない。例えば、水分を含有する紐状の試験片や筒状の試験片に対して引張試験を実行するときに、この発明に係る材料試験機用保持具を使用してもよい。
【符号の説明】
【００３４】
１１      保持部材
１２      支持部材
１３      連結部材
１４      移動部
１５      ボールねじ
１９      モータ
２１      保持部材
２２      支持部材
２３      ロードセル
２４      固定部
２５      固定部
１００    含水試験片
【図１】
2018009925.tif 000003
【図２】
2018009925.tif 000004
【図３】
2018009925.tif 000005
【図４】
2018009925.tif 000006
【図５】
2018009925.tif 000007